(57)【特許請求の範囲】
【請求項１】
フランジ部にピン挿通孔を穿設すると共に、該フランジ部下面に略筒状の脚部をその内空部が上記ピン挿通孔と連通した状態に穿設し、かつ、この脚部の周壁に複数のスリットを軸方向に沿って形成して該脚部を複数の分割部に分割すると共に、各分割部の内面先端側に係止突起を突設したクリップ本体と、頭部の下面に軸部を突設し、該軸部に上記係止突起と係合する係合部を設けたピンとを具備し、上記ピンの軸部を上記ピン挿通孔を通して上記クリップ本体の脚部中空部内に挿入して上記クリップ本体と上記ピンとを連結したクリップであり、上記ピンを押圧して該ピンの軸部を上記クリップ本体の脚部先端側へと更に圧入することにより、該軸部でクリップ本体脚部の各分割部を外側へと押圧し、脚部先端側を拡径させると共に、該脚部の上記係止突起とピン軸部の上記係合部とを係合させて脚部の拡径状態を保持するクリップにおいて、
上記クリップ本体の脚部に設けた各スリットの脚部基端側を幅広に、脚部先端側を幅狭に形成すると共に、上部が幅広で下部が幅狭に形成された複数のリブを上記ピンの軸部外周面に軸方向に沿って設けて、上記脚部の拡径状態において上記各スリットの幅広部の内側に各リブの幅広部が位置するように構成し、また各リブの上記幅広部と幅狭部との境界部分に漸次幅狭となるテーパ部を設けることにより、ピンの軸部をクリップ本体の脚部中空部に挿入する際の作業を容易ならしめるようにしたことを特徴とするクリップ。
【請求項２】
ピンの軸部先端部に上部がテーパ面になった複数の保持凹部を形成すると共に、該保持凹部の上方に隣接して係合部を形成し、ピンの軸部をクリップ本体の脚部内に挿入して、ピン軸部の保持凹部内にクリップ本体脚部の係止突起を係合させることによりクリップ本体とピンとを連結してなり、
ピンの頭部を押圧することにより、ピンの軸部がクリップ本体の脚部内を先端側へと進行し、上記係止突起が上記保持凹部のテーパ面により押圧されて脚部先端側が拡径すると共に、該係止突起が係合部に係合して脚部の拡径状態が保持されるように構成した請求項１記載のクリップ。
【発明の詳細な説明】
【０００１】
【発明の属する技術分野】
本発明は、例えば２枚の板状部材を互いに連結する場合などに好適に使用されるクリップに関し、更に詳述すると、フランジ体の下面に脚部を突設したクリップ本体と、頭部の下面に軸部を突設したピンとからなり、２枚の板状部材にそれぞれ貫通孔を形成して互いの貫通孔を連通させた状態でこれら２枚の板状部材を重ね合わせ、この貫通孔にクリップ本体の脚部を挿入して該脚部内にピンの軸部を圧入することにより、クリップ本体の脚部先端側が拡径して２枚の板状部材を連結固定することができるクリップに関する。
【０００２】
【従来の技術】
従来より、自動車のバンパーをボディーに取り付ける場合、合成樹脂製のクリップを用いてバンパーフェイシャーをボディーパネルのリテーナに固定することが行われている。
【０００３】
このようなクリップとしては、フランジ部の下面に略筒状の脚部を突設したクリップ本体と、頭部下面に軸部を突設したピンとからなるクリップが知られており、このクリップは、互いに連結固定する２つの板状部材にそれぞれ貫通穴を形成し、互いの貫通穴を連通させた状態で両板状部材を重ね合わせ、クリップ本体の脚部をこれら貫通穴に挿入して、該脚部にピンの軸部を圧入し、これによりクリップ本体の脚部先端側を拡径させ、２つの板状部材をクリップ本体のフランジ部下面と拡径した脚部先端側とで挟圧固定するものである、
【０００４】
この種のクリップの一例として、実開昭５５−１２０８１８号公報に開示されたクリップがある、即ち、このクリップは、図１２，１３に示したように、丸板状のフランジ部ｃ中央部にピン押通孔を穿設すると共に、該フランジ部ｃ下面に略円筒状の脚部ｄをその中空部が上記ピン挿通孔と連通した状態で突設し、この脚部ｄの周壁に４つのスリットｅを等間隔ずつ離間させて軸方向に沿って形成することにより、該脚部ｄを４つの分割部に分割したクリップ本体ａと、丸板状の頭部ｆの下面に軸部ｇを突設すると共に、該軸部ｇの周面に上記クリップ本体ａのスリットｅに相応した４つのリブｈを軸方向に沿って設けたピンｂとから構成されている。
【０００５】
このクリップを用いて、２つの板状部材ｉとｊとを互いに連結固定する場合、板状部材ｉ，ｊを、それぞれに設けた貫通穴ｋ，ｌを互いに連通させた状態で重ね合わせ、その貫通穴ｋ，ｌに上記クリップ本体ａの脚部ｄを挿入する（図１２）。この状態で、クリップ本体ａの脚部ｄ内に上記ピンｂの軸部ｇを圧入する。これにより、図１３に示されているように、脚部ｄ内空部の小径に形成された先端側が軸部ｇにより外側へと押圧されて脚部ｄの各分割部がそれぞれ外側へと撓み、該脚部ｄの先端側が拡径して貫通穴ｌの内周面を抑圧し、この拡径した脚部ｄ先端側とフランジ部ｃ下面とで両板状部材ｉ，ｊとを互いに挟圧固定するものである。なお、この際ピンｂの軸部ｇに設けられた係止凹部ｍにクリップ本体ａの脚部ｄ内空部に設けられた係止突部ｎが係合し、脚部ｄの拡径状態が保持されると共に、ピンｂの軸部ｇに設けられたリブｈはクリップ本体ａのスリットｅ内に挿入された状態となる。
【０００６】
【発明が解決しようとする課題】
ここで、自動車のバンパーをボディに取り付ける場合などの自動車の組立て工程においてこの種のクリップを用いる場合、組立てラインの流れに遅れないように確実に作業を完了させる必要があり、固定状態の確実性と共に、取扱い性が良好であることが要求される。
【０００７】
この場合、この種のクリップでは、上記ピンｂを容易に圧入し得るか否かが取扱い性の良否に大きく影響し、ピンｂの圧入に要する力が小さければ、それだけ取扱い性を向上させることができる。
【０００８】
この種のクリップにおいて、ピンｂの圧入力を小さくするには、上言脚部ｄの材料を選定することにより剛性を低く設定して脚部ｄの可撓性を向上させればよいが、脚部ｄの剛性を低くするとクリップの重要な性能である固定状態の確実性が低下することとなってしまう。
【０００９】
本発明は、上記事情に鑑みなされたもので、ピンの圧入力を小さくして取扱い性を向上させることができ、しかも良好な固定状態を達成することができるクリップを提供することを目的とする。
【００１０】
【課題を解決するための手段】
本発明は、上記目的を達成するため、フランジ部にピン挿通孔を穿設すると共に、該フランジ部下面に略筒状の脚部をその内空部が上記ピン挿通孔と連通した状態に穿設し、かつ、この脚部の周壁に複数のスリットを軸方向に沿って形成して該脚部を複数の分割部に分割すると共に、各分割部の内面先端側に係止突起を突設したクリップ本体と、頭部の下面に軸部を突設し、該軸部に上記係止突起と係合する係合部を設けたピンとを具備し、上記ピンの軸部を上記ピン挿通孔を通して上記クリップ本体の脚部中空部内に挿入して上記クリップ本体と上記ピンとを連結したクリップであり、上記ピンを押圧して該ピンの軸部を上記クリップ本体の脚部先端側へと更に圧入することにより、該軸部でクリップ本体脚部の各分割部を外側へと押圧し、脚部先端側を拡径させると共に、該脚部の上記係止突起とピン軸部の上記係合部とを係合させて脚部の拡径状態を保持するクリップにおいて、上記クリップ本体の脚部に設けた各スリットの脚部基端側を幅広に、脚部先端側を幅狭に形成すると共に、上部が幅広で下部が幅狭に形成された複数のリブを上記ピンの軸部外周面に軸方向に沿って設けて、上記脚部の拡径状態において上記各スリットの幅広部の内側に各リブの幅広部が位置するように構成し、また各リブの上記幅広部と幅狭部との境界部分に漸次幅狭となるテーパ部を設けることにより、ピンの軸部をクリップ本体の脚部中空部に挿入する際の作業を容易ならしめるようにしたことを特徴とするクリップを提供する。
【００１１】
また、上記本発明クリップの好適な実施態様として、ピンの軸部先端部に上部がテーパ面になった複数の保持凹部を形成すると共に、該保持凹部の上方に隣接して係合部を形成し、ピンの軸部をクリップ本体の脚部内に挿入して、ピン軸部の保持凹部内にクリップ本体脚部の係止突起を係合させることによりクリップ本体とピンとを連結してなり、ピンの頭部を押圧することにより、ピンの軸部がクリップ本体の脚部内を先端側へと進行し、上記係止突起が上記保持凹部のテーパ面により押圧されて脚部先端側が拡径すると共に、該係止突起が係合部に係合して脚部の拡径状態が保持されるように構成したクリップを提供する。
【００１２】
本発明のクリップは、複数の板状部材を連結固定する場合などに好適に使用されるもので、クリップ固定用の貫通穴を設けた複数の板状部材を互いの貫通穴を連通させた状態に重ね合わせ、この貫通穴に上記クリップ本体の脚部を挿入すると共に、該クリップ本体に連結された上記ピンを押圧して該ピンの軸部を上記脚部の先端側へと更に圧入することにより脚部先端側を拡径させ、両板状部材を上記クリップ本体のフランジ部と拡径した脚部先端部とで挟圧固定するものである。
【００１３】
即ち、クリップ本体の脚部を重ね合わせた板状部材の貫通穴に挿入して該脚部の先端部を板状部材の反対側に突出させると共に、クリップ本体のフランジ部下面を一方の板状部材に当接させ、この状態で、脚部中空部内に軸部が挿入されてクリップ本体に連結されたピンを押圧し、該ピンの軸部をクリップ本体脚部の先端側へと更に圧入すると、ピンの軸部によりクリップ本体脚部の各分割部が押圧されて各分割部先端側が外側へと撓み、脚部先端側が拡径すると共に、各分割部内面に突設された係止突起と軸部に設けられた係合部とが係合して脚部先端側の拡径状態が保持される。これにより、拡径した脚部先端側が板状部材の貫通穴の内周を押圧して本クリップが貫通穴に固定されると共に、クリップ本体のフランジ部下面と拡径した脚部先端側とで板状部材を挟圧固定するものである。
【００１４】
ここで、この種のクリップ、即ちピンの軸部を圧入することによりクリップ本体の脚部先端側を拡径させるクリップでは、クリップ本体脚部の各分割部が良好に撓んで先端側がスムーズに拡径しなければならず、上述したようにこれがクリップの取扱い性に大きく影響するものであるが、本発明のクリップでは、各スリットの脚部基端側を幅広に、脚部先端側を幅狭に形成すると共に、上記ピン軸部外周面に軸方向に沿ってリブを設け、各リブの軸部上部を幅広に、軸部下部を幅狭に形成し、脚部の拡径状態において、各スリットの幅広部の内側に各リブの幅広部が位置するようにスリット及びリブを形成しているので、クリップとしての脚部基端側の剛性を向上させることができ、剪断力に対する強度を大幅に向上させることができるものである。更に、上記スリットの脚部基端側を幅広に形成したことにより脚部の各分割部基端側が幅狭となり、このため各分割部の可撓性が向上し、ピン軸部挿入による脚部先端側の拡径がより容易になり、クリップ固定時のピンの挿入力を小さくして取扱い性を高めることができる。また更に、スリットの脚部先端側は幅狭に形成されているので脚部分割部の先端側は幅広となり、脚部先端側の拡径状態を保持しておくための各係止突起の係止幅を十分にとることができ、この係止突起とピン軸部の係止部とを確実に係合させて脚部先端側の拡径状態を確実に保持することができる。しかも、上記各リブの幅広部と幅狭部との境界部分には、漸次幅狭となるテーパ部が設けられ、このテーパ部の作用によりピンの軸部をピン挿通孔を通してクリップ本体の脚部中空部内に挿入して上記クリップ本体と上記ピンとを連結する作業を容易に行うことができるものである。
【００１５】
このように、本発明のクリップによれば、クリップ本体とピンとを連結してクリップを構成する作業を容易に行うことができると共に、クリップ固定時において、剪断力に対する強度を向上させることができ、ピンの軸部を圧入するのに必要な力が小さくて済み、取扱い性を向上させることができ、しかも良好な固定状態を達成することができ、取り外し作業も容易に行われるものである。
【００１６】
【発明の実施の形態及び実施例】
以下、本発明の実施例につき図面を参照して説明する。
図１〜１１は、本発明の一実施例にかかるクリップを示すもので、このクリップは、図１，２に示されているように、クリップ本体１とピン２とから構成されている。
【００１７】
上記クリップ本体１は、図３〜６に示されているように、丸板状のフランジ部３の中央部にピン押通孔４を穿設し、かつ該フランジ部３の下面中央部に略円筒状の脚部５をその中空部を上記ピン押通孔４と連通させた状態に突設させたものである。
【００１８】
このクリップ本体１を構成する上記フランジ部３の上面中央には、円形のピン嵌入凹部６が設けられており、かつ該フランジ部３上面に後方向に沿って帯状に比較的幅広の工具挿入溝７が形成されている。
【００１９】
また、クリップ本体１を構成する上記脚部５には、その周壁に４つのスリット８，８，８，８が互いに等間隔ずつ離間して軸方向に沿って形成されており、これらスリット８，８，８，８により脚部５が４つの分割部９，９，９，９に分割されている。更に、これらスリット８，８，８，８は、それぞれ上部が幅広部１０、下部が幅狭部１１に形成されており、かつ上部の幅広部１０は上記フランジ部３を貫通してフランジ部３の上面に開放している。
【００２０】
上記スリット８，８，８，８により分割された各分割部９，９，９，９の内面先端部には、それぞれ係止突起１２，１２，１２，１２が突設されており、この係止突起１２，１２，１２，１２により脚部５先端部の内径が小径になっている。また、脚部５の先端外周縁部は、周方向に沿って面取りが施されており、これにより脚部５先端の外径が小径に形成されている。
【００２１】
次に、上記ピン２は、図８，９に示されているように、丸皿状頭部１３の下面中央に略円柱状の軸部１４を突設したものである。該ピン２を構成する軸部１４の先端部外周面には、４つの保持凹部１５（図では２つしか現れていない）が等間隔ずつ離間して周方向に沿って連設されており、これら保持凹部１５の上部は上方に向かうに従って漸次その深さが浅くなるテーパ面１６となっている。また、これら保持凹部１５の上方には、係止段差１７を介してリング状の係合凹部（係合部）１８が周方向に沿って形成されている。更に、軸部１４の外周面には、基端部から上記係止段差１７にかけて４つのリブ１９が等間隔ずつ離間して軸方向に沿って形成されている。これらリブ１９はその上部が幅広部２０、下部が幅狭部２１に形成されており、上記クリップ本体１の脚部５に形成された各スリット８に相応した形状となっている。そして、上記各リブの幅広部２０と幅狭部２１との境界部分には、漸次幅狭となるテーパ部２２がそれぞれ設けられていると共に、上記幅狭部２１は下方に向かうに従ってその高さが漸次低くなるテーパ状に形成され、上記係止段差１７部分で軸部１４の周面と一体化している。なお、軸部１４の先端外周縁は面取りが施されており、これによって該先端が小径に形成されている。
【００２２】
本実施例のクリップは、上記クリップ本体１とピン２とを連結したもので、図１に示されているように、ピン２の軸部１４をクリップ本体１のフランジ部３側からピン挿通孔４を通してクリップ本体１の脚部５内空部内に挿入し、ピン２の軸部１４先端部に形成した４つの保持凹部１５内にクリップ本体１脚部５の各分割部９内面先端部に形成した各係止突起１２を係合させることにより、クリップ本体１とピン２とを連結したものである。この場合、図１に示されているように、ピン２の頭部１３及び軸部１４基端部がクリップ本体１のフランジ部３上面より上方に突出した状態となる。
【００２３】
そして、この状態からピン２の頭部１３を押圧してピン２の軸部１４をクリップ本体１の脚部５内に押し込むことにより、図２に示されているように、該軸部１４が脚部５内を下方へと進行して脚部５の各分割部９内面に突設された係止突起１２がピン２軸部１４の先端部に形成された各保持凹部１５のテーパ面１６により外方へと押圧され、各分割部９がそれぞれ外側へと撓んで脚部５の先端側が拡径し、上記各係止突起１２がピン２軸部１４の上記各保持凹部１５の上方に設けられた係止段差１７を乗り越えて係合凹部１８に係合する。これにより、係止突起１２が係止段差１７により係止されて脚部５先端側の拡径状態が保持されるようになっている。また、このときピン２の各リブ１９はクリップ本体１脚部５の各スリット８内に挿入され、リブ１９の幅広部２０がスリット８の幅広部１０内に、リブ１９の幅狭部２１がスリット８の幅狭部１１内にそれぞれ位置するようになっている。更に、ピン２の頭部１３は、クリップ本体１のフランジ部３上面に形成されたピン嵌入凹部６内に嵌入され、フランジ部３から突出することがないようになっている。
【００２４】
次に、本実施例クリップの使用法及び動作について説明する。
本クリップを用いて２枚の板状部材を連結固定する場合、図１０に示したように、互いに連結する２枚の板状部材ｉ，ｊにそれぞれ設けた貫通穴ｋ，lを連通させた状態で両板状部材ｉ，ｊを重ね合わせ、貫通穴ｋ，lに本クリップのクリップ本体１軸部５をピン２の軸部１４と共に挿入し、クリップ本体１のフランジ部３下面が一方の板状部材ｉの上面に当接した状態とする。
【００２５】
この状態で、図１１に示したように、ピン２の頭部１３を押圧Ｐしてピン２の軸部１４を脚部５内で下方へと進行させ、上述した通りの動作によりピン２の保持凹部１５に設けたテーパ面１６で脚部５先端側を拡径させると共に、脚部５各分割部９の係止突起１２をピン２軸部１４の係合凹部１８に係合させて係止段差１７で係止することにより、脚部５先端側の拡径状態を保持する。
【００２６】
これにより、拡径した脚部５先端側が板状部材ｉ，ｊの貫通穴ｋ，ｌの内周を押圧して本クリップが貫通穴ｋ，lに固定されると共に、クリップ本体１のフランジ部３下面と拡径した軸部５先端側とで両板状部材ｉ，ｊを挟圧固定するものである、またこの際、ピン２軸部１４の外周面に設けられた各リブ１９がクリップ本体１脚部５の各スリット８内に挿入される。
【００２７】
この場合、本実施例のクリップにあっては、上記各スリット８の基端側を幅広に形成したことにより脚部５の各分割部９基端側が幅狭となり、このため各分割部９の可撓性が向上し、ピン２軸部１４の挿入による脚部５先端側の拡径がより容易になり、クリップ固定時のピン２の挿入力を小さくして取扱い性を高めることができる。
【００２８】
また、上記脚部５を各分割部９に分割するスリット８の基端側を幅広に形成し、このスリットの幅広部１０内に剛性を高く設定することができるピン２軸部１４のリブ１９が挿入されるようになっているので、クリップとしての脚部５基端側の性を向上させることができ、剪断力に対する強度を大幅に向上させることができるものである。従って、一方の板状部材ｉに図１１中矢印方向Ｆの強い力がかかってクリップに強い剪断力が生じても、良好に両板状部材ｉ，ｊを連結固定することができる。
【００２９】
更に、本実施例のクリップにあっては、スリット８の脚部先端側は幅狭に形成されているので脚部５の各分割部９先端側は幅広となり、脚部５先端側の拡径状態を保持しておくための上記各係止突起１２の係止幅を十分にとることができ、この係止突起１２とピン２軸部１４に形成した係止段差１７とを確実に係合させて脚部５先端側の拡径状態を確実に保持することができるものである。即ち、図７に示したように、本実施例のクリップでは、脚部５に設けたスリット８をその先端側（下部）を幅狭に形成したので、各係止突起１２の先端幅Ｗを十分にとることができるものである。しかしながら、このスリット８を全長に亘って幅広に形成した場合、本実施例のクリップと同様に剪断力の向上は達成されるものの、図７中一点鎖線３０で示したように、係止突起１２の先端幅ｗは非常に狭くなり、上記係止段差１７との係合幅が狭く、十分な係止力が得られなくなり、不意に脚部５の拡径状態が解除されてしまうおそれがあると共に、この係止突起１２がピン２軸部の周面を摺動することにより摩耗して十分な係合が得られなくなるおそれもある。
【００３０】
更にまた、本実施例のクリップでは、ピン２の頭部１３がクリップ本体１のフランジ部３に設けられたピン嵌入凹部６内に嵌入するように構成されているので、ピン２頭部１３に何かが引掛かってピン２が持ち上がり、不意に脚部５の拡径状態が解除されてしまうことが防止される。しかも、ピン２を引き上げて脚部５の拡径状態を解除したい場合には、クリップ本体１のフランジ部３に設けた工具挿入溝７からマイナスドライバーの先端部をピン２の頭部１３とピン嵌入凹部６の上面との間に挿入し、ピン２の頭部１３をこじり上げることにより、容易にピン２を引き上げて脚部５の拡径状態を解除することができるものである。なおこの場合、脚部５各分割部９に設けられた各係止突起１２がピン２軸部１４の係止段差１７を乗り越えるまでピン２を引き上げることにより、脚部５各分割部９の弾性復帰力と係止段差１７の下方に形成された保持凹部１５のテーパ面１６との作用によってピン２が自動的に持ち上がり、ほんの少しピン２を引き上げることにより、極めて容易に脚部５の拡径状態を解除することができる。
【００３１】
本実施例のクリップにあっては、上記各リブ１９の幅広部２０と幅狭部２１との境界部分には、漸次幅狭となるテーパ部２２がそれぞれ設けられている。更に、上記各リブ下部の幅狭部においては、その高さが漸次低くなるようにテーパ状に形成されている。これらテーパの作用によりピン２の軸部１４をピン挿通孔４を通してクリップ本体１の脚部５中空部内に挿入して上記クリップ本体１と上記ピン２とを連結する作業を容易に行うことができる。
【００３２】
なお、本発明のクリップは、上記実施例に限定されるものではない。例えば、上記実施例では工具挿入溝７をフランジ部３の径方向に沿って帯状に形成し、フランジ部３周縁部に工具差し込み用の間隙が２箇所形成されるようにしたが、ピン嵌入凹部６の周縁部を１箇所だけ切り欠いてフランジ部３外周に開放させることにより工具差し込み用の間隙が１箇所だけ形成されるようにしてもよく、またピン嵌入凹部６の周縁部を３箇所以上切り欠いて３箇所以上の工具差し込み用間隙を形成してもよい。更に、これらピン嵌入凹部６及び工具挿入溝７を省略することもできる。ピン２の構成は適宜変更することができ、更にその他の構成についても本発明の要旨の範囲内で適宜変更しても差し支えない。
【００３３】
【発明の効果】
以上説明したように、本発明のクリップによれば、剛性を低下させることなく、クリップ固定時のピンの挿入力を小さくすることができると共に、クリップ本体とピンとを連結してクリップを構成する作業を容易に行うことができ、取扱い性を向上させることができるものである。また、脚部に設けられた係止突起とピン軸部の係止部とを確実に係合させることができ、脚部先端側の拡径状態を確実に保持して信頼性の高い固定状態を達成することができる。
【図面の簡単な説明】
【図１】本発明の一実施例にかかるクリップを示す正面図である。
【図２】同クリップを構成するピンの軸部をクリップ本体の脚部内に圧入した状態を示す一部を切り欠いて断面とした正面図である。
【図３】同クリップを構成するクリップ本体を示す平面図である。
【図４】同クリップ本体を示す正面図である。
【図５】同クリップ本体を示す図３のＡ−Ａ線に沿った断面図である。
【図６】同クリップ本体を示す底面図である。
【図７】同クリップ本体の脚部に形成した係止突起を示す部分拡大平面図である。
【図８】同クリップを構成するピンを示す正面図である。
【図９】同ピンを示す底面図である。
【図１０】同クリップを用いて２枚の板状部材を連結固定するため、同クリップの脚部を板状部材の貫通穴に挿入した状態を示す断面図である。
【図１１】同クリップを用いて２枚の板状部材を連結固定した状態を示す断面図である。
【図１２】従来のクリップを示すもので、２枚の板状部材を連結固定するため、同クリップの脚部を板状部材の貫通穴に挿入した状態を示す断面図である。
【図１３】同従来のクリップを示すもので、２枚の板状部材を連結固定した状態を示す断面図である。
【符号の説明】
１  クリップ本体
２  ピン
３  フランジ部
４  ピン挿通孔
５  脚部
８  スリット
９  分割部
１０  スリットの幅広部
１１  スリットの幅狭部
１２  係止突起
１３  ピンの頭部
１４  ピンの軸部
１５  保持凹部
１６  テーパ面
１７  係止段差
１８  係合凹部（係合部）
１９  リブ
２０  リブの幅広部
２１  リブの幅狭部
２２  テーパ部
ｉ，ｊ  板状部材
ｋ，ｌ  貫通孔
【図１】
0003863812.tif 000002
【図２】
0003863812.tif 000003
【図３】
0003863812.tif 000004
【図４】
0003863812.tif 000005
【図５】
0003863812.tif 000006
【図６】
0003863812.tif 000007
【図７】
0003863812.tif 000008
【図８】
0003863812.tif 000009
【図９】
0003863812.tif 000010
【図１０】
0003863812.tif 000011
【図１１】
0003863812.tif 000012
【図１２】
0003863812.tif 000013
【図１３】
0003863812.tif 000014